(57)【特許請求の範囲】
【請求項１】
燃料を内燃機関の筒内に直接噴射する燃料噴射弁であって、燃料配管との継ぎ手部分が燃料配管に挿入された状態で締結部材によって燃料配管に取り付けられ、燃料配管に取り付けられた状態で前記継ぎ手部分とは反対側の先端部がエンジンヘッドの取り付け孔に挿入されてエンジンヘッドに取り付けられる燃料噴射弁において、
前記締結部材が当接するように燃料噴射弁に設けられた当接部を、燃料噴射弁と燃料配管との間で燃料のシールを行うシール部分とは別個に設けると共に、前記当接部を前記締結部材よりも柔らかい部材で形成し、前記先端部がエンジンヘッドの取り付け孔に挿入されてエンジンヘッドに取り付けられることにより燃料配管とエンジンヘッドの取り付け孔との間の位置ずれによって燃料噴射弁の軸心に対して生じる曲げモーメントを緩和するように、前記当接部が塑性変形するように構成したことを特徴とする燃料噴射弁。
【請求項２】
請求項１に記載の燃料噴射弁において、前記当接部は前記締結部材よりも引張強度が小さいか、もしくは硬さが小さい材料で構成されていることを特徴とする燃料噴射弁。
【請求項３】
請求項１又は２に記載の燃料噴射弁において、前記当接部を前記締結部材と接触する突起で構成したことを特徴とする燃料噴射弁。
【請求項４】
請求項１又は２に記載の燃料噴射弁において、前記当接部を馬蹄形状の部材で構成し、前記馬蹄形状の部材はこの馬蹄形状の部材が接する燃料噴射弁側の部位よりも降伏点の低い材料で作られていることを特徴とする燃料噴射弁。
【請求項５】
燃料を内燃機関の筒内に直接噴射する燃料噴射弁であって、燃料配管との継ぎ手部分が設けられた一端部を燃料配管に挿入した状態で締結部材によって燃料配管に取り付けられ、燃料配管に取り付けられた状態で前記継ぎ手部分とは反対側の端部をエンジンヘッドの取り付け孔に挿入してエンジンヘッドに取り付けられる燃料噴射弁の支持方法において、
前記締結部材が当接するように燃料噴射弁に設けられた当接部を、燃料噴射弁と燃料配管との間で燃料のシールを行うシール部分とは別個に設けると共に、前記当接部を前記締結部材よりも柔らかい部材で形成し、前記一端部がエンジンヘッドの取り付け孔に挿入されてエンジンヘッドに取り付けられることにより燃料配管とエンジンヘッドの取り付け孔との間の位置ずれによって燃料噴射弁の軸心に対して生じる曲げモーメントを緩和するように、前記当接部が塑性変形するようにして前記燃料配管に固定することを特徴とする燃料噴射弁の支持方法。
【請求項６】
請求項５に記載の燃料噴射弁の支持方法において、前記締結部材は、固定クリップと、前記固定クリップと燃料噴射弁との間に設けられる押さえ板とからなることを特徴とする燃料噴射弁の支持方法。
【発明の詳細な説明】
【技術分野】
【０００１】
本発明は、内燃機関に用いられる燃料噴射弁であって、気筒内に直接燃料を噴射するために高圧配管との締結乃至は接続を要する燃料噴射弁に関する。
【背景技術】
【０００２】
特許第３３８５４１５号公報では、先細りに形成されたパイプ端部を高圧で面接触することにより高圧燃料パイプを接続し、高圧燃料パイプがステンレス鋼からなる内管とこれよりも軟質の鋼材からなる外管を一体化したもので構成され、高圧燃料系機器の燃料出入口の口縁に形成された末広がりの凹部に、前記外管のみを面接触させることで、軟質の材料が塑性変形して接続部を馴染ませ、燃料のシール性を向上させる方法が開示されている。
【０００３】
特開２００５−９８２７５号公報には、燃料噴射弁と接続される燃料供給管を構成するパーツ材の一部に薄肉部を設けることで、燃料噴射弁の組み付け時の取り付け誤差によって生じる応力を低減し、破損を防ぐ方法が開示されている。
【０００４】
【特許文献１】特許第３３８５４１５号公報
【特許文献２】特開２００５−９８２７５号公報
【発明の開示】
【発明が解決しようとする課題】
【０００５】
筒内直接噴射式の燃料噴射弁では、燃料噴射弁はエンジンヘッドに設けられた取り付け孔に挿入され、燃料噴射弁とエンジンヘッドとが、直接もしくは金属などの比較的弾性係数の大きい部材を介して接触して取り付けられている。燃料噴射弁は燃料配管と接続されるが、燃料噴射弁は燃料配管によって間に設けられた弾性部材を介して押し付けられるように接続されている。更に、エンジンの運転状態においては、燃料圧力によって燃料噴射弁がエンジンヘッドに押し付けられた状態で燃料噴射弁が駆動される。
【０００６】
燃料噴射弁が駆動される際には、弁の開閉に対応して音が発生する。発生した音は、燃料噴射弁本体を燃料噴射弁の弁体運動軸方向に振動させる。前述のように燃料噴射弁は、弁体運動軸方向に力を受けて、エンジンヘッドに押し付けられている。エンジンヘッドと燃料噴射弁を形成している部品は共に金属であり、音速が比較的近い。すなわち、音波が伝播しやすい。このため、燃料噴射弁より発生した音はエンジンヘッドへと容易に伝播する。エンジンヘッドへ伝播した音は、エンジンヘッドおよびこれに取り付けられている機器を振動させ、結果としてエンジン騒音を形成する。このため、燃料噴射弁とエンジンヘッドとが、弾性係数が著しく異なるなど、音速が異なる物質を介した状態で取り付けられていることが望ましい。
【０００７】
このような取り付け状態を作り出す方法として、エンジンヘッドと燃料噴射弁とが弁体軸方向に接触しないように構成したり、あるいは剛性の低い（音速の遅い）物質をエンジンヘッドに介在させるなどする方法が有効と考えられる。このような方法を採った場合における燃料噴射弁の固定は、燃料配管によって行われている必要がある。燃料配管はエンジンヘッドに固定され、燃料噴射弁は燃料配管に固定され、燃料噴射弁とエンジンヘッド間は燃焼ガスの漏れを防ぐシール部材が軸シールの形で燃料噴射弁の先端付近に用いられて取り付けられる。
【０００８】
このように燃料配管に燃料噴射弁を固定した場合、燃料噴射弁を固定する部材は燃料圧力による力を受けなければならないため、高い強度の部材を用いる必要がある。また、一方で燃料噴射弁と比較すると、燃料配管は剛性の高い部材で構成されている。このため、燃料噴射弁は燃料配管に対して剛に取り付けられる結果となる。
【０００９】
しかしながら、燃料配管に設けられた燃料噴射弁の取り付け孔の位置は、エンジンヘッドに穿孔された燃料噴射弁の取り付け孔に対して誤差を持って製造される。通常、切削加工によって精度を保つことが容易なエンジンヘッド側の燃料噴射弁取り付け孔と比較して、鋼管の溶接などによって製造される燃料配管側の燃料噴射弁取り付け孔の位置精度を高くすることは容易でない。
【００１０】
このため、エンジンヘッド側の取り付け孔と燃料配管側の取り付け孔とが互いに偏芯した状態で、燃料噴射弁が取り付けられることとなる。したがって、燃料配管に対して剛に取り付けられた燃料噴射弁は、その燃料噴射孔側の先端部に設けられた燃焼ガスのシール部がエンジンヘッド側の取り付け孔に挿入されることにより、燃料噴射弁の先端部が燃料配管との取り付け部に対して強制的な変位を受ける。
【００１１】
この結果、燃料噴射弁には曲げモーメントが生じ、強制的に変形させられるため、燃料噴射弁の内部の可動部品が収められている部位が変形し、噴射量などの特性に影響を与えてしまう恐れがあった。
【００１２】
また、これを避けるために燃料噴射弁内部の可動部分にあたる材料の肉厚を十分に大きくするなどすると、与えられる入力が強制変位であるため、別の部材が変形することになる。燃料噴射弁は、燃料を噴射ノズルの先端まで導く燃料通路としての機能も有しており、燃料圧力に耐えるように設計されている必要がある。このため、燃料噴射弁内部の可動部分以外の部材が変形するようにすると、変形することによって過大な応力が発生し、破損しやすくなってしまったり、あるいは高い燃料圧力に耐え難くなってしまうという問題があった。
【００１３】
あるいは、燃料配管の精度を十分にすれば前記したような問題は発生しないが、この場合には燃料配管の製造が困難であったり、あるいは非常に高価になってしまうという問題があった。
【００１４】
特許第３３８５４１５号公報では、高圧燃料配管の締結方式として、軟質な材料と硬質な材料との組み合わせと、先細りにした管の形状によって塑性変形可能な部分を設け、接続される配管が偏芯していたとしても燃料のシール性を確保する方法が示されているが、締結部と強制的に与えられた変位ないしは変形が燃料噴射弁本体に及ぼす影響とこれを回避する方法については開示されていない。
【００１５】
特開２００５−９８２７５号公報では、配管の一部分を薄肉にして変形を吸収する方法が示されているが、配管の一部分を薄肉にしており、燃料圧力に対する強度を保ちながら変形を吸収する方法については十分な配慮がない。
【００１６】
本発明の目的は、燃料噴射弁の噴射特性を左右する主要部に影響を与えることなく、燃料噴射弁を高圧燃料配管に剛に締結して支持する方法及び構造を提供することにある。
【課題を解決するための手段】
【００１７】
上記目的を達成するために、本発明の燃料噴射弁は、燃料を内燃機関の筒内に直接噴射する燃料噴射弁であって、燃料配管との継ぎ手部分が燃料配管に挿入された状態で締結部材によって燃料配管に取り付けられ、燃料配管に取り付けられた状態で前記継ぎ手部分とは反対側の先端部がエンジンヘッドの取り付け孔に挿入されてエンジンヘッドに取り付けられる燃料噴射弁において、前記締結部材が当接するように燃料噴射弁に設けられた当接部を、燃料噴射弁と燃料配管との間で燃料のシールを行うシール部分とは別個に設けると共に、前記当接部を前記締結部材よりも柔らかい部材で形成し、前記先端部がエンジンヘッドの取り付け孔に挿入されてエンジンヘッドに取り付けられることにより燃料配管とエンジンヘッドの取り付け孔との間の位置ずれによって燃料噴射弁の軸心に対して生じる曲げモーメントを緩和するように、前記当接部が塑性変形するように構成したものである。
【００１８】
前記当接部は前記締結部材よりも引張強度が小さいか、もしくは硬さが小さい材料で構成するとよい。また、前記当接部を前記締結部材と接触する突起で構成するとよい。また、前記当接部を馬蹄形状の部材で構成し、前記馬蹄形状の部材はこの馬蹄形状の部材が接する燃料噴射弁側の部位よりも降伏点の低い材料で作られているとよい。
【００１９】
上記目的を達成するために、本発明の燃料噴射弁の支持方法は、燃料を内燃機関の筒内に直接噴射する燃料噴射弁であって、燃料配管との継ぎ手部分が設けられた一端部を燃料配管に挿入した状態で締結部材によって燃料配管に取り付けられ、燃料配管に取り付けられた状態で前記継ぎ手部分とは反対側の端部をエンジンヘッドの取り付け孔に挿入してエンジンヘッドに取り付けられる燃料噴射弁の支持方法において、前記締結部材が当接するように燃料噴射弁に設けられた当接部を、燃料噴射弁と燃料配管との間で燃料のシールを行うシール部分とは別個に設けると共に、前記当接部を前記締結部材よりも柔らかい部材で形成し、前記一端部がエンジンヘッドの取り付け孔に挿入されてエンジンヘッドに取り付けられることにより燃料配管とエンジンヘッドの取り付け孔との間の位置ずれによって燃料噴射弁の軸心に対して生じる曲げモーメントを緩和するように、前記当接部が塑性変形するようにして前記燃料配管に固定するものである。
【００２０】
前記締結部材は、固定クリップと、前記固定クリップと燃料噴射弁との間に設けられる押さえ板とから構成しても良い。
【発明の効果】
【００２１】
本発明によれば、エンジンヘッド側の取付位置と燃料配管側の取付位置との間にずれがあっても、締結部材が当接する当接部が塑性変形することにより、燃料噴射弁の噴射特性を左右する主要部に影響を与えることなく、燃料噴射弁を高圧燃料配管に剛に締結して支持することができる。
また、曲げモーメントの緩和を変形によって吸収させる部位が、燃料配管に近い側にあることで、強制変位が入力される点からの距離を大きくとることができ、当接部を僅かに変形させることで曲げモーメントを緩和することができる。
【発明を実施するための最良の形態】
【００２２】
以下、本発明に係る実施例を説明する。
【実施例１】
【００２３】
図１は、本発明に掛かる燃料噴射弁の断面図である。図２は、燃料配管１０１と固定クリップ１０２及び燃料噴射弁を分解した状態を示す斜視図であり、図３はこれらを組み付けた状態の斜視図である。図１はコイル１０８へ電力を供給するコネクタ２０１の側から眺めた断面図である。また、図には高圧燃料配管本体と燃料噴射弁を接続する燃料配管１０１とその接続に用いる固定クリップ１０２及び押さえ板１０６，燃料シールに用いるＯリング１０３およびそのバックアップリング１０４が図示されている。
【００２４】
燃料圧力が燃料配管１０１から供給されると、Ｏリング１０３は、燃料噴射弁の燃料配管１０１内部の燃料圧力によって、バックアップリング１０４を介して燃料噴射弁の継ぎ手部分に設けられた固定リング１０５に押し付けられる。この結果、燃料噴射弁は燃料配管１０１の下方に押し出される方向の力を受けることになる。この力は、固定クリップ１０２及び押さえ板１０６によって、固定リング１０５との間で受け止められ、燃料噴射弁が押し出されることを防止している。
【００２５】
このような固定方法を採ることによって、燃料噴射弁のハウジング１０９がエンジンヘッドに対して剛に固定されること無く燃料噴射弁を取り付け可能になる。この結果、燃料噴射弁が動作した場合に生ずるアンカー１１１とコア１１０の打音や弁体１１３とオリフィスプレート１１６との打音などがエンジンヘッドに直接伝播することを防止することが出来る。一般に、剛な（すなわち音速が速い）物体から柔な（すなわち音速が遅い）物体への音の伝播はし易いが、柔な物体から剛な物体への音の伝播はし難いので、結果として燃料噴射弁の動作音がエンジンヘッドに伝播するのを防ぐことが出来る。
【００２６】
ここで、燃料噴射弁は燃焼ガスシール部材１１９が設けられた先端部がエンジンヘッドに設けられた取り付け孔に挿入され、この先端部は燃焼ガスシール部材１１９の部分において矢印１１７方向の位置がエンジンヘッドに固定される。このため、エンジンヘッドの取り付け孔と燃料配管１０１の間に偏芯があった場合には、矢印１１７に示すような方向の力をエンジンヘッドから受け、燃料噴射弁は曲げモーメントを受けることとなる。
【００２７】
燃料噴射弁を固定する固定クリップ１０２及び押さえ板１０６は、燃料圧力によって燃料噴射弁が押される力を受けても破損しないために、強度の高い材料が用いられる。このため、燃料圧力が働いた条件下では、燃料噴射弁は燃料圧力によって押さえ板１０６に押し付けられ、固定クリップ１０２を介して燃料配管１０１に剛に締結された状態となる。
【００２８】
燃料噴射弁は、その動作を行わせる部材はアジャスタピン１２０及びスプリング１０７よりも下流側に設けられている。燃料噴射弁は、弁体１１３が開閉することによって燃料噴射の開始および停止を行う装置である。弁体１１３は上流側ロッドガイド１１２及び下流側に設けられた弁体ガイド１１５によってガイドされながら摺動する。また、これらガイド部材はノズルホルダ１１４に固定されている。
【００２９】
弁体１１３を開弁するための駆動力は、コイル１０８への通電によってアンカー１１１とコア１１０との間に生じる磁気吸引力により、アンカー１１１と弁体１１３の接触部１２１を介して伝達される。また弁体１１３を閉弁するための駆動力は、アジャスタ１２０によって圧縮方向に付勢されたスプリング１０７による力である。このため、コイル１０８への通電を中止すると、スプリング１０７による付勢力によって弁体１１３は閉弁方向に移動し、オリフィスプレート１１６に設けられた弁座と当接して閉弁する。
【００３０】
燃料噴射弁が上述のような構造となっているため、ノズルホルダ１１４，ハウジング１０９，コア１１０などのアジャスタピン１２０より下流側の部材が変形すると、ロッドガイド１１２や弁体ガイド１１５の位置にずれを生じ、弁体１１３の動作がずれを生じる前の動作と異なってしまう可能性がある。
【００３１】
そこで、本発明に係る第一の実施例では、固定リング１０５と押さえ板１０６が当接する部位に、微小な突起を設ける。また、固定リング１０５を形成する部材は、フェライト系のステンレス鋼やオーステナイト系ステンレス鋼など、固定クリップ１０２や押さえ板１０６よりも柔らかい（すなわち降伏点が低い）部材を用いると良い。このような構成にすることで、後述する効果を得てアジャスタピン１２０より下流側の部材の変形を防止する。また、固定リング１０５は押さえ板１０６や固定クリップ１０２よりも柔らかい部材で作られることが望ましいので、固定リング１０５部の燃料噴射弁上下流方向の厚さは、押さえ板１０６の肉厚や固定クリップ１０２の肉厚よりも厚いことが望ましい。このような厚さの関係にすることによって、固定クリップ１０２，押さえ板１０６，固定リング１０５のいずれの破壊も防ぐことが出来る。
【００３２】
図４は、固定リング１０５の近傍を拡大した燃料噴射弁と燃料配管１０１の接続部分の断面図である。図４では、押さえ板１０６と固定リング１０５が当接する面の固定リング１０５側に、微小突起４０１を設けている。微小突起４０１は、固定リング１０５に当接する押さえ板１０６よりも降伏点が低いため、大きい力を受けると、押さえ板１０６よりも先に塑性変形する。
【００３３】
図５は、微小突起４０１が押さえ板１０６との当接面において塑性変形している様子と、それぞれの部材が受ける力の関係を示した図である。なお、図５では燃料噴射弁が傾いて取り付けられている様子を描いてあるが、傾きの大きさは実際のものよりも大きくして描いてある。燃料噴射弁は、矢印５０２で示される燃料圧力による力によって、Ｏリング１０３およびバックアップリング１０４を介して矢印５０１のような力を受ける。この矢印５０１で示される力が固定リング１０５，押さえ板１０６，固定クリップ１０２によって受け止められることによって、燃料噴射弁が燃料配管１０１に固定される。
【００３４】
ここで、図１で示したように燃料噴射弁の先端部近傍では、燃料配管１０１とエンジンヘッドとの固定部となる燃焼ガスシール部材１１９が挿入されるエンジンヘッドの孔に偏芯がある場合には、矢印１１７で示すような強制変位によって生じる力を燃料噴射弁は受ける。このため、燃料噴射弁には図５の矢印５０３で示すような曲げモーメントを生じる。この結果、微小突起４０１部は、燃料圧力による力（矢印５０２）と、矢印５０３が示す曲げモーメントを受ける力の合力を受けるようになる。
【００３５】
ここで、微小突起４０１は押さえ板１０６よりも降伏点が低い材質で作られているため、押さえ板１０６が降伏する前に微小突起４０１が塑性変形する。このような塑性変形は、燃料噴射弁に生じた曲げモーメントによって生じる力と、燃料圧力による力との合力が大きい部分で、変形量も大きくなる。この結果、強制変位によって生じる曲げモーメントにより、燃料噴射弁自体は傾いて取り付けられる。このようにして、偏芯によって入力された強制変位量は燃料噴射弁の傾きによって吸収されることとなる。この結果、燃料噴射弁に生じる曲げモーメントは減少する。ここで、微小突起４０１は、突起底面と上面との間がテーパー形状で形成されていると良い。これは、微小突起が塑性変形する過程で接触面積が増え、徐々にモーメントを支える力を増すことができるためである。
【００３６】
また、微小突起４０１のように曲げモーメントの緩和を変形によって吸収させる部位が、アジャスタピン１２０よりも燃料配管１０１に近い側にあることで、強制変位が入力される点からの距離Ｌ（図１に図示）を大きくとることができ、矢印１１７で示される強制変位を受ける点における変位量を、僅かな微小突起４０１の変形量で緩和することができるようになる。また、アジャスタピン１２０よりも燃料配管１０１に近い側に変形する部位を有することにより、燃料噴射弁の機能部品である弁体１１３やそのガイド１１２及び１１５、可動子であるアンカー１１１に影響を与えずに、強制変位に伴う曲げモーメントの緩和を行うことができる。
【００３７】
したがって、燃料噴射弁は矢印１１７で示される方向に強制変位を受けたとしても、微小突起４０１が局所的に塑性変形して曲げモーメントを緩和し、燃料噴射弁の機能部品が存在する部位、すなわちアジャスタピン１２０よりも下流側での変形を防止することが出来る。したがって、燃料配管１０１とエンジンヘッドに設けられた燃料噴射弁の取り付け孔とが相互に偏芯していたとしても、燃料噴射弁の機能を損ねることなく取り付けが可能となる。また、押さえ板１０６及び固定クリップ１０２の降伏点が、微小突起４０１部の降伏点よりも大きくなるように材料を選定することによって、押さえ板１０６と固定クリップ１０２の強度を高めることができ、より高い燃料圧力に対しても強度を保たせることができる。また、変形する部位を微小突起４０１に限定することにより、固定リング１０５の肉厚を十分に確保して、固定リング１０５が破損することがないように設計することができる。
【００３８】
このようにして、燃料配管１０１に燃料噴射弁を固定した場合においても、押さえ板１０６や固定クリップ１０２の強度を十分に保たせながら、燃料配管１０１とエンジンヘッドの燃料噴射弁取り付け孔との偏芯によって燃料噴射弁の機能を損ねることがなくなる。また、塑性変形可能な微小突起４０１部が、燃料のシール部分とは別の部位に設けられていることにより、微小突起４０１部に生じる塑性変形が燃料のシール性（漏洩防止性）に影響を与えることがない。また、燃料通過部の肉厚を減少させる必要が無いため、比較的高い燃料圧力が要求される筒内直接噴射エンジンに適用することもできる。このようにして、燃料配管とエンジンヘッド側の燃料噴射弁の取り付け孔との偏芯が、材料の変形，破損等によって燃料漏れを引き起こす可能性も低減させることができる。
【００３９】
なお、上記のような効果は、図９に示したように押さえ板９０１の側に微小突起９０２を設けても得ることが出来る。押さえ板９０１に微小突起を設けた場合においても、軟質な材料で作られた固定リング９０３の側が塑性変形し、微小突起を固定リング１０４に設けた図１の場合と同様の作用・効果を得ることが出来る。
【００４０】
また、いずれの場合も、微小突起を必ずしも周方向に連続して設ける必要は無い。例えば図１０は押さえ板９０１を固定リング９０３の側から見た例であり、押さえ板の側に突起を設けた例であって、周方向に不連続に微小突起を設けている。このようにすることで、微小突起を十分微小な幅にし難い場合においても面圧を十分に上げることが出来るため、軟質な材料の側を塑性変形させて、燃料配管とエンジンヘッド側の燃料噴射弁の取り付け孔の偏芯によって発生する強制変位を吸収し、曲げモーメントを減ずることが出来る。
【００４１】
上述のように本実施例によれば、燃料噴射弁の機能を損ねることなく、燃料噴射弁の動作に伴う音がエンジンヘッドに伝播することを防止する固定方法である燃料配管に燃料噴射弁を固定する方式を採ることができる。また、この際に著しく高精度に作られた燃料配管などを要しないで済み、コストの大幅な増加などを抑止することが出来る。
【実施例２】
【００４２】
図６は、本発明に係る実施形態において、塑性変形可能な部位を着脱可能にした例を示す斜視図である。押さえ板１０６と燃料噴射弁の間に、降伏点が押さえ板１０６よりも小さい略馬蹄形状のプレート部材６０１を挿入した例である。図７は、プレート状部材６０１が挿入された状態における、燃料配管１０１と燃料噴射弁の取り付け位置近傍の断面図であり、コネクタ２０１（図６に図示）の側から眺めた図である。
【００４３】
プレート状部材６０１は、第一の実施例における突起部４０１と同等の作用発揮するため、第二の実施例においても第一の実施例と同様の効果を得ることが出来る。
【００４４】
これに加えて、プレート部材６０１は、略馬蹄形状をしていることにより、燃料噴射弁を燃料配管へ組み付ける工程での挿入を可能にすることができる。
【００４５】
塑性変形が可能な部材を、燃料噴射弁とは別部材とすることにより、燃料噴射弁本体の塑性変形を防止することが出来る。この結果、例えば燃料噴射弁や配管の取り外し作業が生じた場合においても、燃料噴射弁本体が変形することがないため、プレート部材６０１のみを交換すればよい。このような使用方法を採る場合、プレート部材６０１の降伏点は、押さえ板１０６に用いられる材料よりも小さいだけでなく、固定リング１０５を構成している材料よりも小さいことが望ましい。このような降伏点の大小関係にしておくことにより、燃料噴射弁，押さえ板１０６の双方が破損することなく、所期の効果を得ることが出来る。
【実施例３】
【００４６】
図８は、本発明に係る第三の実施例を示す断面図であり、燃料配管１０１と燃料噴射弁の取り付け部近傍を拡大した図である。第三の実施形態では、押さえ板８０１が固定リング８０４と当接する側の角に角Ｒ８０２を設け、また固定リング８０４が押さえ板８０１と当接する部位に隅Ｒ８０３を設けている。角Ｒ８０２は隅Ｒ８０３よりも小さくなるように設けられている。このように、燃料噴射弁側の固定リング８０４に隅Ｒを設け、燃料配管１０１との固定に用いる部材である押さえ板８０１の側に角Ｒを設けることで、当接する部位は線接触の状態と成る。線接触した場合においても、当接部での応力は大きくなり、軟質な材料で作られる固定リング８０４側は塑性変形する。また、角Ｒ８０２が隅Ｒ８０３よりも小さく設定されていることにより、燃料配管１０１とエンジンヘッド側の取り付け孔に偏芯があった場合においても、第一の実施例に示した微小突起と同様に、燃料噴射弁自体を傾けて曲げモーメントを吸収するという効果を発揮させることが出来る。
【図面の簡単な説明】
【００４７】
【図１】本発明の第一の実施例に係る燃料噴射弁の全体を示す断面図である。
【図２】本発明に係る燃料噴射弁の部品構成を示す斜視図である。
【図３】本発明に係る燃料噴射弁の組み立て状態を示す斜視図である。
【図４】本発明に係る燃料噴射弁の燃料配管近傍における拡大断面図である。
【図５】本発明に係る燃料噴射弁の燃料配管近傍において発生する力，モーメント、及び変形を示す拡大断面図である。
【図６】本発明の第二の実施例に係る燃料噴射弁の部品構成を示す斜視図である。
【図７】本発明の第二の実施例に係る燃料噴射弁の燃料配管近傍における拡大断面図である。
【図８】本発明の第三の実施例に係る燃料噴射弁の燃料配管近傍における拡大断面図である。
【図９】本発明の第一の実施例に係る燃料噴射弁の燃料配管近傍における拡大断面図であって、突起を押さえ板１０６の側につけた例を示す図である。
【図１０】押さえ板９０１を固定リング９０３の側から見た図である。
【符号の説明】
【００４８】
１０１  燃料配管
１０２  固定クリップ
１０３  Ｏリング
１０４  バックアップリング
１０５  固定リング
１０６  押さえ板
１０７  スプリング
１０８  コイル
１０９  ハウジング
１１０  コア
１１１  アンカー
１１２  上流側ロッドガイド
１１３  弁体
１１４  ノズルホルダ
１１５  弁体ガイド
１１６  オリフィスプレート
１１７，５０１，５０２，５０３  矢印
１１８  プラスチックモールド
１１９  燃焼ガスシール部材
１２０  アジャスタピン
２０１  コネクタ
４０１  微小突起
６０１  プレート部材
【図１】
0004558021.tif 000002
【図２】
0004558021.tif 000003
【図３】
0004558021.tif 000004
【図４】
0004558021.tif 000005
【図５】
0004558021.tif 000006
【図６】
0004558021.tif 000007
【図７】
0004558021.tif 000008
【図８】
0004558021.tif 000009
【図９】
0004558021.tif 000010
【図１０】
0004558021.tif 000011